(57)【要約】【課題】回路基板の表面に搭載された光源の周囲への異物の侵入を抑止するために光源の周囲を囲繞する光源囲繞部が、回路基板上の回路パターンを傷つけるおそれがなく、長期に渡って安定した照明性能を維持することができる計器の照明構造を提供すること。【解決手段】回路基板１１０の表面１１１に搭載された光源２１０と、透明な導光材料により形成された指針支持軸３０１と、指針支持軸３０１を光源２１０の光軸Ｌ１上に回転自在に支持する支持軸支承部１１ａ，１２ａと光源２１０の周囲を囲繞する筒状に支持軸支承部１１ａの下端に一体形成された光源囲繞部１１ｂとを備える計器ケース１０と、を備え、光源２１０の出射する照明光２１１を、指針支持軸３０１を介して指針３０２に誘導する計器の照明構造において、回路基板１１０の表面１１１に当接する光源囲繞部１１ｂの下面１４に、回路パターン１１２との接触を避ける凹み部１５を設ける。【選択図】図１
2015011015.tif 000002
【特許請求の範囲】
【請求項１】
計器の制御に必要な回路が搭載される回路基板と、
前記回路基板の表面に搭載されて前記回路基板の表面に形成された回路パターンからの給電により発光する光源と、
透明な導光材料により形成されて前記回路基板上に搭載される前記計器の指針が取り付けられる指針支持軸と、
前記指針支持軸を前記光源の光軸上に回転自在に支持する支持軸支承部と、前記光源周囲への異物の侵入を抑止するために前記光源の周囲を囲繞する筒状に前記支持軸支承部の下端に一体形成された光源囲繞部と、を備えて前記回路基板に固定される計器ケースと、
を備えて、
前記光源の出射する照明光を、前記指針支持軸を介して前記指針に誘導する計器の照明構造であって、
前記回路基板の表面に当接する前記光源囲繞部の下面に、前記回路パターンとの接触を避ける凹み部を設けたことを特徴とする計器の照明構造。
【発明の詳細な説明】
【技術分野】
【０００１】
本発明は、例えば車両に搭載される計器の照明構造に関する。
【背景技術】
【０００２】
図３及び図４は、下記特許文献１に開示された計器の照明構造を示している。
この計器の照明構造は、車両に搭載される速度計等の指針式の計器において、計器の制御に必要な回路が搭載される回路基板１１０に搭載された光源２１０の出射する照明光２１１を、該光源２１０の直上に配置される指針支持軸３０１を介して指針３０２に導いて、指針３０２及びその周囲の照明を行うものである。
【０００３】
回路基板１１０は、図４に示すように、光源２１０が搭載される表面１１１に、光源２１０に給電するための回路パターン１１２が形成されている。回路パターン１１２は、印刷処理によって回路基板１１０の表面１１１に形成される銅箔で、光源２１０の接点端子２１２が半田付けされるランド部１１２ａと、該ランド部１１２ａを電源回路に接続するラインパターン１１２ｂと、を備えている。光源２１０は、回路パターン１１２からの給電によって発光して、光軸Ｌ１方向に照明光２１１を出射する。
【０００４】
指針支持軸３０１は、その頂部に、指針３０２が固定されている。これらの指針支持軸３０１及び指針３０２は、照明光２１１が透過可能な透明な導光材料により形成されている。
【０００５】
回路基板１１０に固定される計器ケース３１０は、回路基板１１０上に載置される下部ケース３１１と、該下部ケース３１１の上を覆う上部ケース３１２と、を備えている。この計器ケース３１０は、支持軸支承部３２１，３２２と、光源囲繞部３２４と、駆動機構収容部３２５と、を備えている。
【０００６】
支持軸支承部３２１，３２２は、指針支持軸３０１を、光源２１０の光軸Ｌ１上に回転自在に支持する軸受け部である。
【０００７】
光源囲繞部３２４は、光源２１０の周囲を囲繞する筒状に、支持軸支承部３２２の下端に一体形成されている。この光源囲繞部３２４は、図４に示すように、光源２１０の周囲を囲うことで、光源２１０周囲への異物の侵入を抑止する。光源囲繞部３２４の円周形状の下面３２４ａは、回路基板１１０の表面に当接している。
【０００８】
駆動機構収容部３２５は、計器の測定値に応じて指針支持軸３０１を回転駆動させる駆動機構３４０を収容する空間である。
【先行技術文献】
【特許文献】
【０００９】
【特許文献１】特開２０１１−０９９８２６号公報
【発明の概要】
【発明が解決しようとする課題】
【００１０】
ところが、特許文献１における計器の照明構造では、図４に示したように、光源囲繞部３２４の下面３２４ａが回路基板１１０の回路パターン１１２に当接していて、回路パターン１１２に剪断荷重が作用する。そのため、光源囲繞部３２４の下面３２４ａから作用する剪断荷重や、下面３２４ａとの擦れによって、回路パターン１１２が、設計時の耐用年数よりも早期に破損するおそれがあった。
【００１１】
そこで、本発明の目的は、上記課題を解消することに係り、回路基板の表面に搭載された光源の周囲への異物の侵入を抑止するために光源の周囲を囲繞する光源囲繞部が、回路基板上の回路パターンを傷つけるおそれがなく、長期に渡って安定した照明性能を維持することができる計器の照明構造を提供することにある。
【課題を解決するための手段】
【００１２】
本発明の前述した目的は、下記の構成により達成される。
（１）  計器の制御に必要な回路が搭載される回路基板と、
前記回路基板の表面に搭載されて前記回路基板の表面に形成された回路パターンからの給電により発光する光源と、
透明な導光材料により形成されて前記回路基板上に搭載される前記計器の指針が取り付けられる指針支持軸と、
前記指針支持軸を前記光源の光軸上に回転自在に支持する支持軸支承部と、前記光源周囲への異物の侵入を抑止するために前記光源の周囲を囲繞する筒状に前記支持軸支承部の下端に一体形成された光源囲繞部と、を備えて前記回路基板に固定される計器ケースと、
を備えて、
前記光源の出射する照明光を、前記指針支持軸を介して前記指針に誘導する計器の照明構造であって、
前記回路基板の表面に当接する前記光源囲繞部の下面に、前記回路パターンとの接触を避ける凹み部を設けたことを特徴とする計器の照明構造。
【００１３】
上記（１）の構成によれば、回路基板上の光源の周囲への異物の侵入を抑止するために光源の周囲を囲繞する光源囲繞部は、回路基板の表面に当接する下面に、回路基板の表面の回路パターンとの接触を避ける凹み部が設けられている。そのため、光源囲繞部から回路パターンに剪断荷重が作用することがない。また、光源囲繞部の下面と回路パターンとの間の擦れも生じない。
【００１４】
従って、光源囲繞部が、剪断荷重や擦れによって回路基板上の回路パターンを傷つけるおそれがなく、回路パターンから光源への給電性能を長期に渡って良好に維持し、長期に渡って安定した照明性能を維持することができる。
【発明の効果】
【００１５】
本発明による計器の照明構造によれば、回路基板の表面に搭載された光源の周囲への異物の侵入を抑止するために光源の周囲を囲繞する光源囲繞部が、回路基板上の回路パターンを傷つけるおそれがなく、長期に渡って安定した照明性能を維持することができる。
【００１６】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１７】
【図１】本発明に係る計器の照明構造の一実施形態の縦断面図である。
【図２】図１のＡ−Ａ線に沿う断面図である。
【図３】従来の計器の照明構造の縦断面図である。
【図４】図３のＢ−Ｂ線に沿う断面図である。
【発明を実施するための形態】
【００１８】
以下、本発明に係る計器の照明構造の好適な実施形態について、図面を参照して詳細に説明する。
【００１９】
図１及び図２は本発明に係る計器の照明構造の一実施形態を示したもので、図１は本発明の一実施形態の計器の照明構造の縦断面図、図２は図１のＡ−Ａ線に沿う断面図である。
【００２０】
この一実施形態の計器の照明構造は、車両に搭載される速度計等の指針式の計器において、計器の制御に必要な回路が搭載される回路基板１１０に搭載された光源２１０の出射する照明光２１１を、該光源２１０の直上に配置される指針支持軸３０１を介して指針３０２に導いて、指針３０２及びその周囲の照明を行うものである。
【００２１】
回路基板１１０は、図２に示すように、光源２１０が搭載される表面１１１に、光源２１０に給電するための回路パターン１１２が形成されている。回路パターン１１２は、印刷処理によって回路基板１１０の表面１１１に形成される銅箔で、光源２１０の接点端子２１２が半田付けされるランド部１１２ａと、該ランド部１１２ａを電源回路に接続するラインパターン１１２ｂと、を備えている。光源２１０は、回路パターン１１２からの給電によって発光して、光軸Ｌ１方向に照明光２１１を出射する。光源２１０には、例えばＬＥＤ（発光ダイオード）が使用される。
【００２２】
指針支持軸３０１は、その頂部に、指針３０２が固定されている。これらの指針支持軸３０１及び指針３０２は、照明光２１１が透過可能な透明な導光材料により形成されている。
【００２３】
回路基板１１０に固定される計器ケース１０は、回路基板１１０上に載置される下部ケース１１と、該下部ケース１１の上を覆う上部ケース１２と、を備えている。この計器ケース１０は、支持軸支承部１１ａ，１２ａと、光源囲繞部１１ｂと、駆動機構収容部１０ｃと、を備えている。
【００２４】
支持軸支承部１１ａ，１２ａは、指針支持軸３０１を、光源２１０の光軸Ｌ１上に回転自在に支持する軸受け部である。支持軸支承部１１ａは、下部ケース１１に一体形成されていて、指針支持軸３０１の下部を回転自在に支持する。支持軸支承部１２ａは、上部ケース１２に一体形成されていて、指針支持軸３０１の中間部を回転自在に支持する。
【００２５】
光源囲繞部１１ｂは、光源２１０の周囲を囲繞する筒状に、支持軸支承部１１ａの下端に一体形成されている。この光源囲繞部１１ｂは、図２に示すように、光源２１０の周囲を囲うことで、光源２１０周囲への異物の侵入を抑止する。
【００２６】
本実施形態の場合、光源囲繞部１１ｂの円周形状の下面１４には、回路基板１１０の表面の回路パターン１１２との接触を避ける複数の凹み部１５を設けている。従って、本実施形態の光源囲繞部１１ｂの下面１４は、円周全周ではなく、凹み部１５の部分以外の領域が、部分的に回路基板１１０の表面に当接する。
【００２７】
本実施形態の場合、凹み部１５は、図２に示すように、周方向に略等間隔の４箇所に装備されている。４箇所の凹み部１５の内の２箇所は、光源２１０に接続される回路パターン１１２の挿通に利用されている。回路パターン１１２が挿通していない２箇所の凹み部１５は、予備の凹み部１５で、回路パターン１１２の配置方向が本実施形態における向きと直交する方向に変更された場合等に使用される。
【００２８】
駆動機構収容部１０ｃは、図１に示すように、計器の測定値に応じて指針支持軸３０１を回転駆動させる駆動機構３４０を収容する空間である。
【００２９】
駆動機構３４０は、計器の測定値に応じて回転駆動されるモータのロータ軸３４１の回転を、ロータギア３４２と中間ギア３４３とを介して、指針支持軸３０１に固定されている出力ギア３４４に伝達する。ロータギア３４２は、ロータ軸３４１に固定されたギアである。また、中間ギア３４３は、ロータギア３４２に噛合する入力側ギア３４３ａと出力ギア３４４に噛合する出力側ギア３４３ｂとを、同軸に配置したギアである。
【００３０】
以上に説明した一実施形態の計器の照明構造では、光源２１０の周囲への異物の侵入を抑止するために光源２１０の周囲を囲繞する光源囲繞部１１ｂは、回路基板１１０の表面１１１に当接する下面１４に、回路基板１１０の表面１１１の回路パターン１１２との接触を避ける凹み部１５が設けられている。そのため、光源囲繞部１１ｂから回路パターン１１２に剪断荷重が作用することがない。また、光源囲繞部１１ｂの下面１４と回路パターン１１２との間の擦れも生じない。
【００３１】
従って、光源囲繞部１１ｂが、剪断荷重や擦れによって回路基板１１０上の回路パターン１１２を傷つけるおそれがなく、回路パターン１１２から光源２１０への給電性能を長期に渡って良好に維持し、長期に渡って安定した照明性能を維持することができる。
【００３２】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３３】
例えば、上記実施形態では、光源囲繞部１１ｂの下面１４の凹み部１５は、例えば、光源囲繞部１１ｂの周壁に切り欠きを形成することで形成されるが、光源囲繞部１１ｂの下面１４に、回路基板１１０の表面１１１上で回路パターン１１２に重ならない位置に当接する複数の突起部を設け、該突起部の回路基板１１０への当接によって回路基板１１０から浮いた部分を、凹み部１５として利用するようにしても良い。
【００３４】
ここで、上述した本発明に係る計器の照明構造の実施形態の特徴をそれぞれ以下［１］に簡潔に纏めて列記する。
【００３５】
［１］  計器の制御に必要な回路が搭載される回路基板（１１０）と、
前記回路基板（１１０）の表面（１１１）に搭載されて前記回路基板（１１０）の表面（１１１）に形成された回路パターン（１１２）からの給電により発光する光源（２１０）と、
透明な導光材料により形成されて前記回路基板（１１０）上に搭載される前記計器の指針（３０２）が取り付けられる指針支持軸（３０１）と、
前記指針支持軸（３０１）を前記光源（２１０）の光軸（Ｌ１）上に回転自在に支持する支持軸支承部（１１ａ，１２ａ）と、前記光源（２１０）周囲への異物の侵入を抑止するために前記光源（２１０）の周囲を囲繞する筒状に前記支持軸支承部（１１ａ）の下端に一体形成された光源囲繞部（１１ｂ）と、を備えて前記回路基板（１１０）に固定される計器ケース（１０）と、
を備えて、
前記光源（２１０）の出射する照明光（２１１）を、前記指針支持軸（３０１）を介して前記指針（３０２）に誘導する計器の照明構造であって、
前記回路基板（１１０）の表面（１１１）に当接する前記光源囲繞部（１１ｂ）の下面（１４）に、前記回路パターン（１１２）との接触を避ける凹み部（１５）を設けたことを特徴とする計器の照明構造。
【符号の説明】
【００３６】
１０  計器ケース
１１ａ，１２ａ  支持軸支承部
１１ｂ  光源囲繞部
１４  下面
１５  凹み部
１１０  回路基板
１１１  表面
１１２  回路パターン
２１０  光源
２１１  照明光
３０１  指針支持軸
３０２  指針
Ｌ１  光軸
【図１】
2015011015.tif 000003
【図２】
2015011015.tif 000004
【図３】
2015011015.tif 000005
【図４】
2015011015.tif 000006